(57)【要約】【課題】ブロックを踏面だけの構成として、一人で手軽に作業できるため作業効率がよくなって、蹴込板のデザイン、寸法等の変更が自由にでき、踏面のデザインを部分的に変更することが可能な階段の踏面ブロックを提供すること。【解決手段】コンクリートで形成した階段下地へ取り付けて、階段の踏面を構成させる階段の踏面ブロックであって、このブロック１は、階段２の踏面を複数枚で形成する大きさに形成されて、施工後に見える部分には化粧７を施され、前側の表面１ａには、滑り止めの溝３を複数条形成され、裏面１ｃには蹴込板４の上部が係合する凹部５を形成され、後部の奥行を調整する部分の裏面１ｃには、踏面ブロック１の切断を容易にする肉薄部６を形成されていること。【選択図】図１
0003103645.tif 000002
【実用新案登録請求の範囲】
【請求項１】
コンクリートで形成した階段下地へ取り付けて、階段の踏面を構成させる階段の踏面ブロックであって、
このブロックは、階段の踏面を複数枚で形成する大きさに形成されて、施工後に見える部分には化粧を施され、
前側の表面には、滑り止めの溝を複数条形成され、裏側には蹴込板の上部が係合する凹部を形成され、
後部の奥行を調整する部分の裏面には、ブロックの切断を容易にする肉薄部を形成されている
ことを特徴とする階段の踏面ブロック。
【考案の詳細な説明】
【技術分野】
【０００１】
本考案は、コンクリートの階段下地へ取り付ける階段の踏面ブロックに関する。
【背景技術】
【０００２】
従来、コンクリートの階段下地へブロックを取り付けて階段を構成することは一般に行なわれていて、使用するブロックは踏面と蹴込板を一体に形成して、踏面と蹴込板が同時に設置されるようにしている（例えば特許文献１参照）。
【特許文献１】特開平９―２７３２８２号
【０００３】
しかしながら、踏面と蹴込板が一体のブロックを階段幅の長さにコンクリートで成形するため、ブロックが大型になって重量も大変重いものになるので、一人の作業者で手軽に施工することはできず、複数の作業者がかかわることになるため、作業効率が高まる筈が却って低下することになって、しかも、踏面と蹴込板を一体に形成すると、蹴込板の寸法やデザイン等を変えたくてもこれができないし、踏面のデザインを部分的に変えたいという要望にも応じられない問題点がある。
【考案の開示】
【考案が解決しようとする課題】
【０００４】
本考案は上記問題点を解消し、ブロックを踏面だけの構成として、一人で手軽に作業できるため作業効率がよくなって、蹴込板のデザイン、寸法等の変更が自由にでき、踏面の部分的なデザイン変更も可能な階段の踏面ブロックを提供することをその課題とする。
【課題を解決するための手段】
【０００５】
前記課題を解決するため、本考案に係る階段の踏面ブロックはコンクリートで形成した階段下地へ取り付けて、階段の踏面を構成させる階段の踏面ブロックであって、このブロックは、階段の踏面を複数枚で形成する大きさに形成されて、施工後に見える部分には化粧を施され、前側の表面には、滑り止めの溝を複数条形成され、裏側には蹴込板の上部が係合する凹部を形成され、後部の奥行を調整する部分の裏面には、ブロックの切断を容易にする肉薄部を形成されていることを特徴とする。
【考案の効果】
【０００６】
請求項１の効果
（１）ブロックが踏面だけの構成であって、寸法を階段幅の複数分の一に形成されたため、小型であって重量が軽いから、このブロックに蹴込板を組み合わせて階段を構成する作業を一人の作業者で手軽に行なうことができて、蹴込板と一体のブロックよりもトータルの施工コストを低減させることができ、また、ブロックの見える面は化粧されていて化粧工事が不要であり、かつ、デザインが異なる踏面ブロックを組み合わせることにより、変化のある踏面を得ることもできる。
【０００７】
（２）ブロックの前側の表面に滑り止め溝を形成してあるため、滑り止め部材を取り付けることなく確実に滑り止めの効果を挙げられる。
【０００８】
（３）ブロックの前側の裏面に蹴込板を係合する凹部を設けてあるため、この凹部へ蹴込板を係合させれば、踏面と蹴込板が的確に接合された階段が簡単に構成されて、しかも、蹴込板は寸法やデザインが異なるものを自由に選択できるので、これにより階段の仕様やデザインの多様化が図れる。
【０００９】
（４）ブロックの後部の切り詰めにより奥行きを調整する部分の裏面には、肉薄部を形成してあるので、コンクリート製のブロックでも比較的容易に切断して、踏面の奥行きを任意に調整することができる。
【考案を実施するための最良の形態】
【００１０】
以下に本考案に係る階段の踏面ブロックの実施形態を図面について説明する。
【００１１】
図１〜図３において符号１で示す階段の踏面ブロックは、階段２の幅を図４（ａ）に示す通りＬとした場合、このＬを複数、図においては３等分にした寸法の方形状にコンクリートで成形するものであり、成形の際、踏面ブロック１の前部の表面１ａには、滑り止め溝３を前縁１ｂと平行するように複数条、図１においては３条形成し、裏面１ｃには、図４（ａ）（ｂ）（ｃ）に示す蹴込板４の上部を係合させる凹部５を、蹴込板４の最大の厚さに合わせた幅で前縁１ｂと平行するように形成し、後部の切り詰めによって奥行の調整をする部分の裏面１ｃには、図１に示す通り所要幅の部分が一定の深さとなる、あるいは、図１の円内に示す通り複数の溝が所定の間隔で並設された肉薄部６を形成してある。
【００１２】
また、上記踏面ブロック１は、成形の際、施工後に見える表面１ａ及び前縁１ｂに化粧７を図１に一例を示す通り施すものであって、この化粧７は公知の通りブロックを成形する型（図面省略）に化粧の形状とは反対となる凹凸を形成して置き、この凹凸により踏面ブロック１に希望する化粧７を現出させるか、型に化粧材（図面省略）を添えて置いて、この化粧材をブロック１と合体させて希望する化粧７を現出させるか、その他のコンクリートブロックに利用される化粧の形成手段を用いて階段２に適合する化粧７が現出されるようにする。
【００１３】
上記蹴込板４は、図４（ａ）に示す通り、汎用のコンクリートブロック８を複数並列して形成するか、図４（ｂ）に示す通り、煉瓦９を積み並べて形成するか、図４（ｃ）に示す通り、踏面ブロック１に調和する専用品１０を形成して使用するものであって、使用する部材により蹴込板４の高さを変化させることができ、また、外観や風合いも変化させることができる。
【００１４】
上記踏面ブロック１と蹴込板４とを用いて階段２を構成するには、予め図５に示す通りの階段下地１１を形成して置く。この階段下地１１は、傾斜設置面１２に砕石１３を敷設して、この砕石１３の上に捨てコンクリート１４を打ち、捨てコンクリート１４の上にコンクリートで垂直面１５ａと水平面１５ｂが交互に連続する段々部１５を形成する。そして、段々部１５の各部は調整モルタル１６で被覆する。
【００１５】
前記のように階段下地１１を構成したら、下段の垂直面１５ａの調整モルタル１６と、次段の垂直面１５ａの調整モルタル１６に蹴込板４、４を添え付けて置いて、下段の水平面１５ｂへ前部の裏面１ｃに設けた凹部５が蹴込板４の上部へ係合し、後縁が次段の蹴込板４へ接触するように踏面ブロック１を乗せて、蹴込板４及び踏面ブロック1を調製モルタル１６へ密着させるようにすれば、蹴込板４と踏面ブロック１とで階段２の一段目が形成される。従って、以後同様にして階段２の２段目以降の形成を行なえば、図５に示す通りの階段２を一人の作業者による施工で簡単に構成することができる。
【００１６】
また、この踏面ブロック１を用いた階段２は、組み合わせる蹴込板４を自由に変更できるため、高さが違う蹴込板４の使用によって段高が異なる階段２を任意に構成することも、また、材質、化粧、その他が異なる蹴込板４の交換使用によって、デザインが変化する階段２を任意に得ることもできるものであって、しかも、必要に応じ、踏面ブロック１の奥行きを変更したいときは、後側の切り詰め部の裏面１ｃに設けた肉薄部６において踏面ブロック１を切断すれば、コンクリート製ブロックでも比較的簡単に切断して、踏面ブロック１の奥行変更を行なうことができる。
【産業上の利用可能性】
【００１７】
階段下地に対して寸法、デザイン等が異なる階段を簡便に経済的に構成するのに適用できる。
【図面の簡単な説明】
【００１８】
【図１】階段用の踏面ブロックを示す斜視図。
【図２】同上の平面図。
【図３】同上の底面図。
【図４】（ａ）（ｂ）（ｃ）は、踏面ブロックと組み合わせて使用する蹴込板の各例を示す斜視図。
【図５】踏面ブロックと蹴込板を組み合わせて形成した階段の縦断側面図。
【符号の説明】
【００１９】
１  階段の踏面ブロック
１ａ  表面
１ｂ  前縁
１ｃ  裏面
２  階段
３  滑り止め溝
４  蹴込板
５  凹部
６  肉薄部
１１  階段下地
【図１】
0003103645.tif 000003
【図２】
0003103645.tif 000004
【図３】
0003103645.tif 000005
【図４】
0003103645.tif 000006
【図５】
0003103645.tif 000007